(57)【要約】【課題】パドルアームの耐久性を飛躍的に向上させると共に、メンテナンス作業を容易に、かつ低廉に行う。【解決手段】パグミルミキサーのパドルアーム４には、パドルチップ５を固定するチップ取付部１０ａの回転移動方向イの先行側となる部分に、パドルチップ５を着脱可能に固定するボルト１１ａ、ナットを覆う保護板部１２が、パドルチップ５と反対側に突出して設けられると共に、アーム部１０と取付基部９の回転移動方向イの先行側となる前面１０ｂ、側面９ｄに、耐摩耗性材料のアームライナー１３と基部ライナー１７とに分割したライナーがボルト１４ａとナット、取付ボルト１６ａと固定ナット１６ｂで着脱可能に取り付けられている。アームライナー１３に回転移動方向イの先行側にボルト１４ａ、ナットを覆う保護板部１３ｂが、アームライナー１３の背面側に突出して設けられている。【選択図】        図２
2004232290.tif 000002
【特許請求の範囲】
【請求項１】
ミキサーケーシング内に回転自在に設けたシャフトの外周に、直径方向に向けて複数のパドルアームを取り付け、該パドルアームのチップ取付部にパドルチップを固定してなり、前記シャフトを駆動手段で回転させてミキサーケーシング内のアスファルト混合物を撹拌するパグミルミキサーにおいて、
前記パドルアームには、前記パドルチップを固定するチップ取付部の回転移動方向の先行側となる部分に、前記パドルチップを着脱可能に固定するボルト、ナットを覆う保護板部が、パドルチップと反対側に突出して設けられていることを特徴とするアスファルト混合物混合用のパグミルミキサー。
【請求項２】
ミキサーケーシング内に回転自在に設けたシャフトの外周に、直径方向に向けて複数のパドルアームを取り付け、該パドルアームのチップ取付部にパドルチップを固定してなり、前記シャフトを駆動手段で回転させてミキサーケーシング内のアスファルト混合物を撹拌するパグミルミキサーにおいて、
前記パドルアームには、その回転移動方向の先行側となる前面に、耐摩耗性材料からなるライナーがボルト、ナットで着脱可能に取り付けられていることを特徴とするアスファルト混合物混合用のパグミルミキサー。
【請求項３】
前記パドルアームには、その回転移動方向の先行側となる前面に、耐摩耗性材料からなるライナーがボルト、ナットで着脱可能に取り付けられていることを特徴とする請求項１に記載のアスファルト混合物混合用のパグミルミキサー。
【請求項４】
前記ライナーは、前記パドルアームのアーム部に取り付けるアームライナーと、パドルアームの前記シャフトへの取付基部に取り付ける基部ライナーとに分割されており、前記アームライナーには、前記パドルアームの回転移動方向の先行側となる部分に、前記ボルト、ナットを覆う保護板部が、パドルアームの背面側に突き出して設けられていることを特徴とする請求項２または３に記載のアスファルト混合物混合用のパグミルミキサー。
【請求項５】
前記アームライナーは、そのパドルアームの軸方向における両端部を、前記パドルアームの保護板部のパドルアームの軸方向における内端部と、前記基部ライナーの前記取付基部に対する取付部分とに当接させて設けられていることを特徴とする請求項４に記載のアスファルト混合物混合用のパグミルミキサー。
【発明の詳細な説明】
【０００１】
【発明の属する技術分野】
本発明は、アスファルトプラントや路上表層再生機等に設備されて、骨材とアスファルト溶融液とを混合してアスファルト混合物を製造したり、再生骨材をアスファルト混合物と混合して再生アスファルト混合物とするのに用いられるパグミルミキサーに関するものである。
【０００２】
【従来の技術】
従来、アスファルト合材（アスファルト混合物）を製造するアスファルトプラントのパグミルミキサーは、ミキサーケーシング内に回転自在に設けたシャフトの外周に、直径方向に向けて複数のパドルアームを取り付け、該パドルアームの先端のチップ取付部に耐摩耗性材料で構成されたパドルチップが固定して設けられ、前記シャフトを駆動手段で回転させてミキサーケーシング内のアスファルト混合物を前記パドルチップで撹拌するようになっている。そして、前記アスファルト混合物の撹拌の際に、アスファルト混合物中の骨材が前記シャフトや前記パドルアームに接触して徐々に摩耗し、破損に至るのを防ぐために、前記シャフトに摩耗防止用カバーを装着するもの（例えば、特許文献１参照）や、前記シャフトと前記パドルアームとに耐摩耗性材料で構成されたシャフトカバーとアームカバーを装着したもの（例えば、特許文献２参照）が知られている。
【０００３】
【特許文献１】
特開２００１−１４０２０８号公報
【特許文献２】
実開平３−７９３１４号公報
【０００４】
【発明が解決しようとする課題】
しかしながら、上記従来のパグミルミキサーは、前者にあっては、前記シャフトは摩耗防止カバーによって摩耗を防ぐことができるものの、前記パドルアームには何ら摩耗防止手段が施されていないので、その耐久性を維持することができない問題がある。また、後者にあっては、前記シャフトとパドルアームの両方がシャフトカバーとアームカバーとによって摩耗を防ぐことができるが、前記シャフトカバーとアームカバーは、共にパドルアームの先端側から該パドルアームに挿通してシャフトとパドルアームに装着した後に、前記パドルアームの先端にパドルチップをボルトで取り付けることにより、前記各カバーがシャフトやパドルアームから外れるのを防ぐ構造となっているので、前記パドルチップをパドルアームに取り付ける前記ボルトが摩耗してパドルチップを保持できなくなると、該パドルチップがパドルアームから脱落すると共に、前記各カバーが前記シャフトやパドルアームから外れてしまい、シャフトやパドルアームの摩耗を防止できなくなるばかりでなく、パグミルミキサーを破損するおそれがあると共に、パドルチップをパドルアームから取り外さないと、前記各カバーがシャフトやパドルアームから取り外すことができず、それらの交換作業を容易、迅速に行えない問題がある。
【０００５】
本発明は、上記事情に鑑みてなされたものであって、パドルアームの耐久性を飛躍的に向上させることができると共に、メンテナンス作業を容易に、かつ低廉に行うことができるアスファルト混合物混合用のパグミルミキサーを提供することを目的とする。
【０００６】
【課題を解決するための手段】
上記目的を達成するために、本発明の請求項１に係るアスファルト混合物混合用のパグミルミキサーは、ミキサーケーシング内に回転自在に設けたシャフトの外周に、直径方向に向けて複数のパドルアームを取り付け、該パドルアームのチップ取付部にパドルチップを固定してなり、前記シャフトを駆動手段で回転させてミキサーケーシング内のアスファルト混合物を撹拌するパグミルミキサーにおいて、前記パドルアームには、前記パドルチップを固定するチップ取付部の回転移動方向の先行側となる部分に、前記パドルチップを着脱可能に固定するボルト、ナットを覆う保護板部が、パドルチップと反対側に突出して設けられていることを特徴としている。
【０００７】
請求項２に係るアスファルト混合物混合用のパグミルミキサーは、ミキサーケーシング内に回転自在に設けたシャフトの外周に、直径方向に向けて複数のパドルアームを取り付け、該パドルアームのチップ取付部にパドルチップを固定してなり、前記シャフトを駆動手段で回転させてミキサーケーシング内のアスファルト混合物を撹拌するパグミルミキサーにおいて、前記パドルアームには、その回転移動方向の先行側となる前面に、耐摩耗性材料からなるライナーがボルト、ナットで着脱可能に取り付けられていることを特徴としている。
【０００８】
請求項３に係るアスファルト混合物混合用のパグミルミキサーは、請求項１に記載のパグミルミキサーにおいて、前記パドルアームには、その回転移動方向の先行側となる前面に、耐摩耗性材料からなるライナーがボルト、ナットで着脱可能に取り付けられていることを特徴としている。
【０００９】
請求項４に係るアスファルト混合物混合用のパグミルミキサーは、請求項２または３に記載のパグミルミキサーにおいて、前記ライナーが、前記パドルアームのアーム部に取り付けるアームライナーと、パドルアームの前記シャフトへの取付基部に取り付ける基部ライナーとに分割されており、前記アームライナーには、前記パドルアームの回転移動方向の先行側となる部分に、前記ボルト、ナットを覆う保護板部が、パドルアームの背面側に突き出して設けられていることを特徴としている。
【００１０】
請求項５に係るアスファルト混合物混合用のパグミルミキサーは、請求項４に記載のパグミルミキサーにおいて、前記アームライナーがそのパドルアームの軸方向における両端部を、前記パドルアームの保護板部のパドルアームの軸方向における内端部と、前記基部ライナーの前記取付基部に対する取付部とに当接させて設けられていることを特徴としている。
【００１１】
【発明の実施の形態】
以下、本発明の一実施の形態に係るアスファルト混合物混合用のパグミルミキサーについて、図面を参照して説明する。
図１において、１は本発明の一実施の形態に係るアスファルト混合物混合用のパグミルミキサーである。該パグミルミキサー１は、アスファルトプラントに設備される２軸式のパグミルミキサーであり、両端部壁２ａ，２ａ（片方のみ図示）に両側壁２ｂ，２ｂを結合して形成された平面視で矩形状の箱体２ｃの下部に、正面視（横断面視）で二つの円弧部２ｄ，２ｄを有する底部２ｅを結合し形成され、上部が開口されたミキサーケーシング２と、該ミキサーケーシング２の両端部壁２ａ，２ａに軸受により支持され、ミキサーケーシング２内に回転自在に設けられている２本の平行なシャフト３，３と、該シャフト３，３の外周に着脱可能に取り付けられ、その直径方向に向けられた複数のパドルアーム４と、該パドルアーム４の先端に着脱可能に固定された耐摩耗性材料からなるパドルチップ５と、前記シャフト３，３を同期して互いに反対方向へ回転させる駆動手段（図示せず）とを備えている。
【００１２】
そして、前記駆動手段によってシャフト３，３を回転させることにより、ミキサーケーシング２内に供給された乾燥骨材、フィラーとアスファルト溶融液等とを、前記パドルチップ５の撹拌作用によって混合させてアスファルト混合物を製造した後に、前記ミキサーケーシング２の底部２ｅに開口された排出口６に設けられているゲート７を開いて、該排出口６から前記製造されたアスファルト混合物を取り出すようになっている。
なお、前記パドルアーム４にパドルチップ５を取り付けてなるミキサーアーム８は、各シャフト３の周方向に複数取り付けられたミキサーアーム群が、前記シャフト３の軸方向に沿って、周方向の位相を異ならせて複数群設けられると共に、前記シャフト３の軸方向に隣接するミキサーアーム８のパドルチップ５は、シャフト３の軸線方向に対して互いに反対方向に傾斜されており、パドルチップ５によるアスファルト混合物の撹拌効果を高め得るようになっている。
【００１３】
次に、図２〜図８を参照して前記ミキサーアーム８の詳細について説明する。
前記パドルアーム４は、平面視（図３）が矩形状で、横断面がコ字状に形成された取付基部９と、該取付基部９の外面９ａ側に一体に固定され、該外面９ａに対して垂直、若しくは垂直から僅かに傾斜していて、前記シャフト３の軸線方向に対して略４５度傾斜させて設けられたアーム部１０とからなり、該アーム部１０の先端のチップ取付部１０ａの前面（パドルアーム４の回転移動方向イの先行側の面）１０ｂに、同様に略４５度傾斜させた前記パドルチップ５が、該パドルチップ５の前面側から前記先端取付部１０ａに挿通した一対のボルト１１ａ，１１ａと、これらに螺合した一対のナット１１ｂ，１１ｂとにより着脱可能に固定されている。そして、前記チップ取付部１０ａにおけるパドルアーム４（ミキサーアーム８）の回転移動方向イの先行側端部１０ｃには、チップ取付部１０ａの前記前面１０ｂと反対の背面１０ｄ側へ、前記ボルト１１ａの突出長さよりやや高く突き出した保護板部１２が一体に設けられている。
【００１４】
また、前記アーム部１０のチップ取付部１０ａと前記取付基部９との間の部分には、その略全長のわたり、アーム部１０の前面１０ｂに沿って耐摩耗性材料からなるアームライナー（ライナー）１３が装着され、該アームライナー１３の前面１３ａ側からアーム部１０に挿通した１つのボルト１４ａと、これに螺合したナット１４ｂとにより着脱可能に固定されている。そして、前記アームライナー１３におけるパドルアーム４の回転移動方向イの先行側端部１３ｂには、アームライナー１３の前面１３ａと反対の背面１３ｃ側へ、前記ボルト１４ａの突出長さよりやや高く突き出した保護板部１５が一体に設けられている。前記パドルアーム１０の取付基部９は、その内面９ｂ側に形成された角型嵌合溝９ｃを前記シャフト３の角形軸部３ａの半周部に嵌合させて、該シャフト３の直径方向の反対側に取り付けられる勝手違いのパドルアーム４の取付基部９と一緒に、それらの両側部の各一対のボルト穴に、それぞれ一対の取付ボルト（ボルト）１６ａ，１６ａを挿通して、それらに螺合した固定ナット（ナット）１６ｂ，１６ｂを締め付けることにより前記シャフト３に着脱可能に固定されている。
【００１５】
さらに、前記取付基部９におけるパドルアーム４の回転移動方向イの先行側の側面９ｄには、該側面９ｄの略全面を覆う耐摩耗性材料からなる基部ライナー（ライナー）１７が、それに直角な方向に一体に形成した取付板部（取付部分）１７ａを前記取付基部９の外面９ａに前記取付ボルト１６ａ、固定ナット１６ｂで固定することによって着脱可能に取り付けられている。前記取付板部１７ａは、平面視（図３）で前記パドルアーム４のアーム部１０の前面１０ｂの傾斜面に沿う傾斜辺を有する変形した５角形に形成されており、前記アームライナー１３は、その内端（図２、図４、図５で下端部）１３ｄが前記取付板部１７ａの前記傾斜辺に沿う外面１７ｂに当接され、また、その外端（図２、図４、図５で上端）１３ｅが前記チップ取付部１０ａの保護板部１２の内端（図２、図４、図５で下端）１２ａに当接されて位置決めされ、アームライナー１３のアーム部１０への取付を１本のボルト１４ａ、ナット１４ｂで行うものであっても、アーム部１０からアームライナー１３が容易に外れたりしないようになっている。
【００１６】
前記実施の形態に係るアスファルト混合物混合用のパグミルミキサーにおいては、アスファルトプラントでアスファルト合材（アスファルト混合物）を製造する際、前記駆動手段（図示せず）によって前記各シャフト３，３が互いに反対のイ矢方向に同期回転され、ミキサーケーシング２内に供給された乾燥骨材、フィラーとアスファルト溶融液等とが、前記ミキサーアーム８におけるパドルアーム４のパドルチップ５による撹拌作用によって混合される。その際、ミキサーアーム８は、そのパドルアーム４やパドルチップ５の回転移動方向イの先行側の前面が、アスファルト混合物中の骨材に接触することにより摩滅作用を受けることとなる。
【００１７】
しかし、前記パドルチップ５は耐摩耗性材料で構成されているので、殆ど摩耗することはない。一方、前記パドルアーム４は、そのアーム部１０の回転移動方向イの先行側の前面１０ｂに耐摩耗性材料からなるアームライナー１３が取り付けられ、また、前記シャフト３への取付基部９の、パドルアーム４の回転移動方向イの先行側の側面９ｄに、耐摩耗性材料からなる基部ライナー１７が取り付けられているので、アーム部１０の前面１０ｂと取付基部９の側面９ｄが直接にアスファルト混合物中の骨材に接触することがなく、前記前面１０ｂと側面９ｄが摩耗することはない。
【００１８】
しかも、前記アーム部１０のチップ取付部１０ａにアーム部１０の回転移動方向イの先行側端部１０ｃに保護板部１２が設けられているので、前記パドルチップ５を前記チップ取付部１０ａに取り付けるボルト１１ａ、ナット１１ｂが相対的に流動する骨材に直接に衝突、接触されることがなく、前記ボルト１１ａ、ナット１１ｂの摩耗を可及的に少なくすることができ、これにより、ボルト１１ａ、ナット１１ｂの摩耗によるパドルチップ５のアーム部１０（パドルアーム４）からの脱落を防ぐことができる。
【００１９】
さらに、前記アームライナー１３におけるアーム部１０の回転移動方向イの先行側端部１３ｂに保護板部１５が設けられているので、アームライナー１３をアーム部１０に取り付けるボルト１４ａ、ナット１４ｂが相対的に流動する骨材に強く押圧、接触されることがなく、前記ボルト１４ａ、ナット１４ｂの摩耗を可及的に少なくすることができ、これにより、ボルト１４ａ、ナット１４ｂの摩耗によるアームライナー１３のアーム部１０（パドルアーム４）からの脱落を防ぎ、アーム部１０の摩耗を確実に防ぐことができる。
【００２０】
また、前記パドルアーム４の取付基部９の回転移動方向イの先行側の側面９ｄが基部ライナー１７によって摩耗を防止されるので、前記取付基部９をシャフト３に取り付ける取付ボルト１６ａの頭部を支える支持面が、従来のように、摩耗により欠損して取付ボルト１６ａが緩んだり、固定ボルト１６ａも頭部が摩耗して取付基部９のシャフト３への固定ができなくなって、前記シャフト３からパッドルアーム４が脱落する事態の発生を確実に防ぐことができる。
【００２１】
前記パグミルミキサー１が長期間アスファルト混合物の撹拌作用を行ったときは、前記ミキサーアーム８のパドルチップ５、アームライナー１３および基部ライナー１７は、耐摩耗性材料で構成されていても、徐々に摩耗するので、その摩耗状態を見て新規のものと交換したりするメンテナンス作業が必要となる。その場合、ミキサーアーム８（パドルアーム４）は、前記シャフト３からの直径方向の距離によって、周速の違い等にもとづく摩耗作用の受け方も異なるため、前記パドルチップ５、アームライナー１３および基部ライナー１７は、摩耗の度合も異なり、その交換時期も異なっており、それぞれ、所要の時期に、前記ボルト１１ａ，１４ａ、ナット１１ｂ，１４ｂ、取付ボルト１６ａ、固定ナット１６ｂを取り外して交換作業を行う。その際、前記ボルト１１ａ，１４ａとナット１１ｂ，１４ｂ、取付ボルト１６ａと固定ナット１６ｂは、前記アーム部１０のチップ取付部１０ａに設けた保護板部１２、アームライナー１３に設けた保護板部１５、取付基部９に設けた基部ライナー１７によって、それぞれ、摩耗を防止されるので、それらのねじ部が摩損して締め、緩め操作が不能になることがなく、前記パドルチップ５、アームライナー１３および基部ライナー１７の交換作業を円滑、容易に行うことができる。
【００２２】
したがって、前記実施の形態に係るアスファルト混合物混合用のパグミルミキサー１によれば、前記アームライナー１３と基部ライナー１７とに分割して構成された耐摩耗性材料からなるライナーにより、前記ミキサーアーム８のパドルアーム４の摩耗や、該パドルアーム４にパドルチップ５や前記ライナーを取り付けたり、パドルアーム４を前記シャフト３に取り付けるボルト１１ａ，１４ａ、取付ボルト１６ａ、ナット１１ｂ，１４ｂ、固定ナット１６ｂの摩耗を効果的に防止することができて、ミキサーアーム８の耐久性を飛躍的に向上させることができると共に、前記パドルチップ５や前記ライナー１３，１７等の耐摩耗部品も摩耗の度合に応じて個々に容易に交換することができて、メンテナンス作業が容易になり、その経費を低減することができる。
【００２３】
なお、前記実施の形態に係るアスファルト混合物混合用のパグミルミキサー１においては、前記アーム部１０を前記シャフト３に取り付ける取付基部９に前記基部ライナー１７を取り付ける取付板部１７ａを平板状に形成し、その外面１７ｂに前記取付ボルト１６ａの頭部を露出させて、前記取付基部９を取付板部１７ａと共締めによりシャフト３に固定すると共に、前記外面１７ｂに前記アームライナー１３の下端１３ｄを当接させる構成としたが、これに代えて、図９、図１０に示すように、前記保護板部１７を前記取付基部９に取り付ける取付板部１７ｃを厚めにして、その外面１７ｂに前記取付ボルト１６ａの頭部が没入する穴１７ｄを形成し、取付ボルト１６ａの頭部が前記外面１７ｂから露出しないようにすると共に、前記外面１７ｂに前記アーム部１０の前面１０ｂに沿う溝１７ｅを形成して、前記アームライナー１３の下端１３ｄが該溝１７ｅに嵌入するようにしてもよい。このようにすると、前記取付ボルト１６ａの頭部の摩耗を一層確実に防止することができると共に、前記アームライナー１３のアーム部１０への位置決め固定を一層確実にすることができる。
【００２４】
また、前記実施の形態に係るアスファルト混合物混合用のパグミルミキサーを、アスファルトプラントに設備されて、乾燥骨材とアスファルト溶融液等とを混合してアスファルト混合物を製造するものに適用する場合について説明したが、本発明はこれに限らず、リサイクルプラントや路上表層再生機等に設備されて、舗装道路を掻き起こして生じたアスファルト舗装廃材をアスファルト混合物と混合して、路上に敷き均すのに使用する再生アスファルト混合物とするものに適用することもできる。
【００２５】
【発明の効果】
以上説明したように、本発明によれば以下の優れた効果を奏する。
請求項１に係るアスファルト混合物混合用のパグミルミキサーによれば、パドルアームに、パドルチップを固定するチップ取付部の回転移動方向の先行側となる部分に、前記パドルチップを着脱可能に固定するボルト、ナットを覆う保護板部が、パドルチップと反対側に突出して設けられているので、前記ボルト、ナットの摩耗を効果的に防止することができ、前記パドルチップのパドルアームからの脱落を確実に防ぐことができると共に、パドルチップの交換も円滑、容易に行うことができる。
【００２６】
請求項２に係るアスファルト混合物混合用のパグミルミキサーによれば、パドルアームに、その回転移動方向の先行側となる前面に、耐摩耗性材料からなるライナーがボルト、ナットで着脱可能に取り付けられているので、該ライナーによってパドルアームの摩耗を防止することができて、該パドルアームの耐久性を飛躍的に向上させることができる。
【００２７】
請求項３に係るアスファルト混合物混合用のパグミルミキサーによれば、請求項１に係る発明による効果に加えて、請求項２に係る発明による効果を確実に奏することができる。
【００２８】
請求項４に係るアスファルト混合物混合用のパグミルミキサーによれば、ライナーは、パドルアームのアーム部に取り付けるアームライナーと、パドルアームのシャフトへの取付基部に取り付ける基部ライナーとに分割されており、前記アームライナーには、前記パドルアームの回転移動方向の先行側となる部分に、前記アームライナーをパドルアームに取り付けるボルト、ナットを覆う保護板部が、パドルアームの背面側に突き出して設けられているので、前記ボルト、ナットの摩耗を効果的に防止することができると共に、各ライナーをそれらの摩耗状態に応じて個々に交換することができて、メンテナンス作業が容易になり、その経費を低減することができる。
【００２９】
請求項５に係るアスファルト混合物混合用のパグミルミキサーによれば、アームライナーが、そのパドルアームの軸方向における両端部を、パドルアームの保護板部のパドルアームの軸方向における内端部と、基部ライナーの取付基部に対する取付部分とに当接させて設けられているので、前記アームライナーをパドルアームに対し、確実に位置決めして、１本のボルト、ナットでも緩むことなく、しっかりと取り付けることができる。
【図面の簡単な説明】
【図１】本発明の一実施の形態に係るアスファルト混合物混合用のパグミルミキサーを示す横断面図である。
【図２】本発明の一実施の形態に係るアスファルト混合物混合用のパグミルミキサーにおけるミキサーアームの正面図である。
【図３】図２のＡ矢視図である。
【図４】図３のＢ矢視図である。
【図５】図４のＣ矢視図である。
【図６】図４のＤ−Ｄ断面図である。
【図７】図４のＥ−Ｅ断面図である。
【図８】本発明の一実施の形態に係るアスファルト混合物混合用のパグミルミキサーにおけるミキサーアームの斜視図である。
【図９】パドルアームのシャフトへの取付基部に取り付ける基部ライナーの他の例を示す平面図である。
【図１０】図９のＦ−Ｆ断面図である。
【符号の説明】
１  パグミルミキサー
２  ミキサーケーシング
３  シャフト
４  パドルアーム
５  パドルチップ
８  ミキサーアーム
９  取付基部
９ｄ  側面
１０  アーム部
１０ｂ  前面
１０ｃ，１３ｂ  先行側端部
１１ａ，１４ａ  ボルト
１１ｂ，１４ｂ  ナット
１２，１５  保護板部
１３  アームライナー
１６ａ  取付ボルト（ボルト）
１６ｂ  固定ナット（ナット）
１７  基部ライナー
【図１】
2004232290.tif 000003
【図２】
2004232290.tif 000004
【図３】
2004232290.tif 000005
【図４】
2004232290.tif 000006
【図５】
2004232290.tif 000007
【図６】
2004232290.tif 000008
【図７】
2004232290.tif 000009
【図８】
2004232290.tif 000010
【図９】
2004232290.tif 000011
【図１０】
2004232290.tif 000012